(57)【要約】【課題】単語学習装置において、単語学習をもっと迅速に且つ効果的に行う。【解決手段】単語帳データ４２ｂからユーザに覚えられていない単語のデータを抽出して集中学習対象単語データ４２ｃとして記憶させ、第１所定時間間隔で当該集中学習対象単語データ４２ｃの各単語とその意味（説明情報）を表示させて学習させる。この際、分からない単語に対して操作される［チェック］キーによりチェック回数が加算され、各単語の学習回数とそのチェック回数に基づき正解率が算出される。前記正解率が８割以上になった単語にはユーザに略覚えられたとする確認フラグがセットされる。この確認フラグのセットされた各単語は、前記第１所定時間間隔よりも長い第２所定時間間隔で当該各単語とその意味を前記同様に表示させて学習させ、その正解率が８割以上になった単語はユーザに覚えられたとして前記集中学習対象単語データ４２ｃから削除される。【選択図】      図３
2015179214.tif 000002
【特許請求の範囲】
【請求項１】
単語とその意味を対応付けて記憶する単語記憶手段と、
第１の所定時間が経過する毎に前記単語記憶手段により記憶された単語とその意味を表示部に表示させる第１表示制御手段と、
前記表示部に表示された単語をユーザが覚えたか否か判断する判断手段と、
前記第１の所定時間より長い第２の所定時間が経過する毎に前記判断手段によりユーザが覚えたと判断された単語とその意味を前記表示部に表示させる第２表示制御手段と、
を備えたことを特徴とする単語学習装置。
【請求項２】
前記単語記憶手段により記憶された単語に対応付けて当該単語の前記表示部に対する表示回数を記憶する表示回数記憶手段と、
前記単語とその意味が前記表示部に表示されたときにユーザにより操作されるチェックキーの操作回数を記憶するチェック回数記憶手段を備え、
前記判断手段は、前記表示回数記憶手段により記憶された表示回数と前記チェック回数記憶手段により記憶されたチェックキーの操作回数とに基づき、前記表示部に表示された単語をユーザが覚えたか否か判断する、
ことを特徴とする請求項１に記載の単語学習装置。
【請求項３】
前記第２の表示制御手段により表示された単語について前記判断手段によりユーザが覚えたと判断された場合に、前記単語記憶手段により記憶された当該単語とその意味を削除する単語削除手段を備えたことを特徴とする請求項２に記載の単語学習装置。
【請求項４】
前記単語記憶手段により記憶された単語のうち前記判断手段によりユーザが覚えたと判断された単語に対応付けてフラグをセットするフラグセット手段を備え、
前記第１表示制御手段は、前記第１の所定時間が経過する毎に前記単語記憶手段により記憶された単語のうち前記フラグセット手段によりフラグがセットされていない単語とその意味を表示部に表示させ、
前記第２表示制御手段は、前記第１の所定時間より長い第２の所定時間が経過する毎に前記単語記憶手段により記憶された単語のうち前記フラグセット手段によりフラグがセットされている単語とその意味を前記表示部に表示させる、
ことを特徴とする請求項２または請求項３に記載の単語学習装置。
【請求項５】
前記第１表示制御手段により表示された単語に対応付けて前記フラグセット手段によりフラグがセットされた際に、前記表示回数記憶手段により当該単語に対応付けられて記憶された表示回数と前記チェック回数記憶手段により当該単語に対応付けられて記憶されたチェックキーの操作回数をリセットする回数リセット手段と、
前記第２の表示制御手段により表示された単語について前記判断手段によりユーザに覚えられていないと判断された場合に、前記フラグセット手段により当該単語に対応付けられてセットされたフラグを消去するフラグ消去手段と、
を備えたことを特徴とする請求項４に記載の単語学習装置。
【請求項６】
表示部と記憶部を備えた電子機器のコンピュータを制御するためのプログラムであって、
前記コンピュータを、
単語とその意味を対応付けて前記記憶部に記憶させる単語記憶手段と、
第１の所定時間が経過する毎に前記記憶部に記憶された単語とその意味を前記表示部に表示させる第１表示制御手段と、
前記表示部に表示された単語をユーザが覚えたか否か判断する判断手段と、
前記第１の所定時間より長い第２の所定時間が経過する毎に前記判断手段によりユーザが覚えたと判断された単語とその意味を前記表示部に表示させる第２表示制御手段、
として機能させるためのコンピュータ読み込み可能なプログラム。
【発明の詳細な説明】
【技術分野】
【０００１】
本発明は、単語の学習に好適な単語学習装置およびその制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
従来の電子辞書であって、前記単語帳機能と履歴（ヒストリ）機能を備えたものがある（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる自己テスト学習機も考えられている（例えば、特許文献３参照。）。
【先行技術文献】
【特許文献】
【０００８】
【特許文献１】特開２００５−２９２３０３号公報
【特許文献２】特開２００９−２６６０２４号公報
【特許文献３】特開平０８−８３０３９号公報
【発明の概要】
【発明が解決しようとする課題】
【０００９】
しかしながら、前記携帯型の表示装置において、電子データとして記憶した複数の単語とその意味を、ユーザ自らが単に順番に切り替えて出力させるだけでなく、単語学習をもっと迅速に且つ効果的に行いたい要望がある。
【００１０】
本発明は、このような課題に鑑みなされたもので、単語学習をもっと迅速に且つ効果的に行うことが可能になる単語学習装置およびその制御プログラムを提供することを目的とする。
【課題を解決するための手段】
【００１１】
本発明に係る単語学習装置は、単語とその意味を対応付けて記憶する単語記憶手段と、第１の所定時間が経過する毎に前記単語記憶手段により記憶された単語とその意味を表示部に表示させる第１表示制御手段と、前記表示部に表示された単語をユーザが覚えたか否か判断する判断手段と、前記第１の所定時間より長い第２の所定時間が経過する毎に前記判断手段によりユーザが覚えたと判断された単語とその意味を前記表示部に表示させる第２表示制御手段と、を備えたことを特徴としている。
【発明の効果】
【００１２】
本発明によれば、単語学習をもっと迅速に且つ効果的に行うことが可能になる。
【図面の簡単な説明】
【００１３】
【図１】本発明の単語学習装置の実施形態に係る電子単語帳３０を電子辞書１０に接続した状態での外観構成を示す図。
【図２】前記電子辞書１０の電子回路の構成を示すブロック図。
【図３】前記電子単語帳３０の電子回路の構成を示すブロック図。
【図４】前記電子単語帳３０に記憶される単語帳データ４２ｂの内容を示す図。
【図５】前記電子単語帳３０に記憶される集中学習対象単語データ４２ｃの内容を示す図。
【図６】前記電子単語帳３０による通常学習処理を示すフローチャート。
【図７】前記電子単語帳３０による集中学習処理を示すフローチャート。
【図８】前記電子単語帳３０の集中学習処理に伴う対象単語抽出処理を示すフローチャート。
【図９】前記電子単語帳３０の集中学習処理に伴う第１の集中学習処理を示すフローチャート。
【図１０】前記電子単語帳３０の集中学習処理に伴う第２の集中学習処理を示すフローチャート。
【図１１】前記電子単語帳３０による学習モード（通常学習／集中学習）の選択に従った表示動作を示す図。
【図１２】前記電子単語帳３０の通常学習処理／集中学習処理に伴うユーザ操作に応じた表示動作を示す図。
【発明を実施するための形態】
【００１４】
以下図面により本発明の実施の形態について説明する。
【００１５】
図１は、本発明の単語学習装置の実施形態に係る電子単語帳３０を電子辞書１０に接続した状態での外観構成を示す図である。
【００１６】
前記電子単語帳３０は前記電子辞書１０と相互に通信可能である。
【００１７】
前記電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１８】
前記電子辞書１０は、その本体ケース１１と蓋体ケース１２とがヒンジ部１３を介して開閉可能な折り畳み型ケースを備えて構成される。この折り畳み型ケースを展開した本体ケース１１の表面には、文字入力キー、辞書指定キー、［決定］キー、［戻る］キー、［単語帳登録］キー１４ａなどを備えたキー入力部１４が備えられる。
【００１９】
また、前記蓋体ケース１２の表面には、そのほぼ全面にバックライト付きのタッチパネル式表示部１５が設けられる。
【００２０】
前記タッチパネル式表示部１５は、タッチ位置検出装置と表示装置が一体となった構造であり、バックライト付きカラー液晶表示画面に透明タッチパネルを重ねて構成される。
【００２１】
一方、前記電子単語帳３０は、以下に説明する電子単語帳専用の携帯機器として構成されるか、携帯電話、電子ブック、携帯ゲーム機等として構成される。
【００２２】
この電子単語帳３０は、例えばカードサイズの本体ケースを有し、その正面の左端に沿って縦長のキー入力部３１が備えられ、それ以外の領域に表示部３２が備えられる。
【００２３】
前記キー入力部３１には、前記表示部３２に表示される単語のデータを、次のデータに送る［送り］キー３１ａ、前のデータに戻す［戻り］キー３１ｂ、表示中の単語のデータのチェックボックスｂｃ（図１２参照）にチェックマークを書き込むための［チェック］キー３１ｃ、表示中のデータの発音の音声を出力させるための［音声］キー３１ｄが備えられる。
【００２４】
なお、前記単語のデータとは、英和モードの場合は、英単語のデータとその日本語訳（意味）のデータであり、和英モードの場合は、日本語のデータとその英語訳（意味）のデータである。そして、前記次のデータとは、前記英和モードにおいて、英単語が表示されている場合はその日本語訳（意味）のデータとなり、同日本語訳（意味）が表示されている場合は次の英単語のデータとなる。前記前のデータとはその逆となる。
【００２５】
また、前記チェックボックスｂｃに対するチェックマークは、例えば該当する単語をユーザが覚えていないことをユーザが確認するために当該ユーザ自身の操作によって書き込まれる。
【００２６】
図２は、前記電子辞書１０の電子回路の構成を示すブロック図である。
【００２７】
前記電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２８】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に書き込まれた辞書制御プログラム２２ａ、あるいはインターネットＮ上のＷｅｂサーバ（この場合はプログラムサーバ）５０から通信部２５を介して前記記憶装置２２に書き込まれた辞書制御プログラム２２ａに応じて、ＲＡＭ２６を作業用メモリとして回路各部の動作を制御する。
【００２９】
前記記憶装置２２に記憶された辞書制御プログラム２２ａは、前記キー入力部１４、タッチパネル式表示部１５からのユーザ操作に応じた入力信号、あるいは前記通信部２５を介して接続されるインターネットＮ上の各Ｗｅｂサーバ５０…や前記電子単語帳３０との通信信号に応じて起動される。
【００３０】
このように、前記ＣＰＵ２１には、前記記憶装置２２、記録媒体読み取り部２４、通信部２５、ＲＡＭ２６、キー入力部１４、タッチパネル式表示部１５が接続される。
【００３１】
前記記憶装置２２には、前記辞書制御プログラム２２ａとして、当該電子辞書１０の全体の動作を司るシステムプログラム、前記通信部２５を介してインターネットＮ上の各Ｗｅｂサーバ５０…や図示しないユーザＰＣ(Personal Computer)、前記電子単語帳３０などとデータ通信するための通信プログラム等が記憶される。また、前記辞書制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、選択された見出し語（単語）のリスト（単語帳リスト）を生成し単語帳データ２２ｃとして登録する処理、登録された単語帳データ２２ｃを前記電子単語帳３０に送信する処理など、同記憶装置２２内の辞書データベース２２ｂ、単語帳データ２２ｃに基づく検索・読み出し・表示・登録・送信処理全般を制御するための辞書検索プログラムが記憶される。
【００３２】
前記辞書データベース２２ｂには、例えば、国語辞典、英和辞典、和英辞典、英英辞典等の各種の辞書が記憶される。
【００３３】
そのうち、前記英和辞典の辞書データとしては、アルファベット順にした各英単語の見出し語とその日本語の意味などからなる説明情報とが対応付けられて記憶される。
【００３４】
なお、前記英和辞典以外の各種の辞書データも、基本的には当該英和辞典と同様に、各見出し語とその意味（説明情報）とが対応付けられたデータ構造として記憶される。
【００３５】
前記単語帳データ２２ｃとしては、前記見出し語検索処理に応じて検索された見出し語（単語）の説明情報が表示された状態で、前記キー入力部１４の［単語帳登録］キー１４ａが操作された際に、当該単語とその意味（説明情報）とが対応付けられて記憶される。
【００３６】
なお、前記単語帳データ２２ｃは、前記辞書データベース２２ｂに記憶された辞書の種類毎あるいはユーザ任意の分類別に生成される。
【００３７】
前記ＲＡＭ２６には、入力データメモリ２６ａ、表示データメモリ２６ｂなどが確保される。
【００３８】
前記入力データメモリ２６ａには、前記キー入力部１４、タッチパネル式表示部１５のユーザ操作に応じた個々の入力データが逐次記憶される。
【００３９】
前記表示データメモリ２６ｂには、前記タッチパネル式表示部１５の画面に表示させる表示データがビットマップパターンに展開されて記憶される。
【００４０】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、前記単語帳データ２２ｃの登録・送信処理等を実行するためのプログラムを含む）に記述された命令に従い回路各部の動作を制御し、ソフトウエアとハードウエアとが協働して動作することにより、後述の動作説明で述べる機能を実現する。
【００４１】
図３は、前記電子単語帳３０の電子回路の構成を示すブロック図である。
【００４２】
前記電子単語帳３０の電子回路は、プログラムによって動作が制御されるコンピュータによって構成され、その電子回路には、ＣＰＵ４１が備えられる。
【００４３】
このＣＰＵ４１は、記憶装置４２内に予め記憶された単語帳制御プログラム４２ａに応じて、ＲＡＭ４４を作業用メモリとして回路各部の動作を制御する。なお、前記単語帳制御プログラム４２ａは、本電子単語帳３０に前記電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００４４】
前記記憶装置４２に記憶された単語帳制御プログラム４２ａは、前記キー入力部３１からのユーザ操作に応じた入力信号、あるいは前記通信部４３を介して接続される前記電子辞書１０との通信信号に応じて起動される。
【００４５】
このように、前記ＣＰＵ４１には、前記記憶装置４２、通信部４３、ＲＡＭ４４、キー入力部３１、表示部３２が接続される他に、計時部４５、報知部４６が接続される。
【００４６】
前記計時部４５は、第１タイマー４５ａと第２タイマー４５ｂとを有し、当該第１のタイマー４５ａは、後述の第１の集中学習処理によって、ユーザが覚えたい単語を繰り返し集中的に学習するための第１の所定時間（例えば１時間）を計時するタイマーであり、第２のタイマー４５ｂは、前記第１の集中学習処理において覚えられたと判断された単語を、後述の第２の集中学習処理によって再度集中して学習するための第２の所定時間（例えば２４時間）を計時するタイマーである。
【００４７】
前記報知部４６は、前記第１，第２の集中学習処理に伴い前記計時部４５の第１，第２タイマー４５ａ，４５ｂにより計時される前記第１，第２の所定時間の経過を報知するもので、その報知手段は、音声、振動、表示等の何れであってもよい。
【００４８】
前記記憶装置４２には、前記単語帳制御プログラム４２ａとして、当該電子単語帳３０の全体の動作を司るシステムプログラム、前記通信部４３を介して前記電子辞書１０とデータ通信するための通信プログラム等が記憶される。また、前記単語帳制御プログラム４２ａとして、前記電子辞書１０との通信接続に伴い、当該電子辞書１０から送信された単語帳データ２２ｃを受信して前記記憶装置４２に記憶させるためのデータ受信処理、前記記憶装置４２に記憶された単語帳データ４２ｂにある各単語のデータをユーザ操作に応じてランダムに表示させながら学習する通常学習処理、この通常学習処理にて覚えられていない単語のデータを抽出しこれを前記第１，第２の所定時間に基づきランダムに表示させながら学習する集中学習処理など、同記憶装置４２内の単語帳データ４２ｂ、集中学習対象単語データ４２ｃに基づく表示処理全般を制御するためのデータ処理プログラムが記憶される。
【００４９】
図４は、前記電子単語帳３０に記憶される単語帳データ４２ｂの内容を示す図である。
【００５０】
この単語帳データ４２ｂとしては、前記電子辞書１０から受信された単語帳データ２２ｃの各単語word1，word2,…とその意味（説明情報）に対応付けられて、前記通常学習処理での表示に伴いカウントされる学習（表示）回数と前記［チェック］キー３１ｃの操作に伴いカウントされるチェック回数が記憶される。
【００５１】
図５は、前記電子単語帳３０に記憶される集中学習対象単語データ４２ｃの内容を示す図である。
【００５２】
この集中学習対象単語データ４２ｃとしては、前記集中学習処理に伴い前記単語帳データ４２ｂからユーザが覚えたい単語として抽出された集中学習対象の各単語WORD1,WORD2,…とその意味（説明情報）に対応付けられて、当該集中学習処理での表示に伴いカウントされる学習（表示）回数と前記［チェック］キー３１ｃの操作に伴いカウントされるチェック回数が記憶される。
【００５３】
さらに、前記集中学習対象単語データ４２ｃに記憶される各単語WORD1,WORD2,…には、前記第１の集中学習処理に伴い前記学習（表示）回数とチェック回数に基づき算出される正解率が８割以上となった場合にセットされる確認フラグが対応付けられて記憶される。なお、この確認フラグは、前記第２の集中学習処理に伴い算出される前記正解率が４割以下となった場合に消去される。
【００５４】
また、前記集中学習対象単語データ４２ｃに記憶される各単語WORD1,WORD2,…のデータは、前記第２の集中学習処理に伴い算出される前記正解率が８割以上となった場合にユーザが覚えられた単語として削除される。
【００５５】
前記ＲＡＭ４４には、前記表示部３２に表示させるべき表示データが記憶される表示データメモリ４４ａなどが確保される。
【００５６】
このように構成された電子単語帳３０は、前記ＣＰＵ４１が前記単語帳制御プログラム４２ａ（データ受信処理、通常学習処理、集中学習処理等を実行するためのプログラムを含む）に記述された命令に従い回路各部の動作を制御し、ソフトウエアとハードウエアとが協働して動作することにより、以下の動作説明で述べる機能を実現する。
【００５７】
次に、前記構成の電子単語帳３０の動作について説明する。
【００５８】
（データ受信処理）
前記電子辞書１０の単語帳送信処理に伴い送信された単語帳データ２２ｃは、前記通信部４３を介して受信され、前記記憶装置４２内に単語帳データ４２ｂとして記憶される。
【００５９】
（通常学習処理／集中学習処理）
図６は、前記電子単語帳３０による通常学習処理を示すフローチャートである。
【００６０】
図７は、前記電子単語帳３０による集中学習処理を示すフローチャートである。
【００６１】
図８は、前記電子単語帳３０の集中学習処理に伴う対象単語抽出処理を示すフローチャートである。
【００６２】
図９は、前記電子単語帳３０の集中学習処理に伴う第１の集中学習処理を示すフローチャートである。
【００６３】
図１０は、前記電子単語帳３０の集中学習処理に伴う第２の集中学習処理を示すフローチャートである。
【００６４】
図１１は、前記電子単語帳３０による学習モード（通常学習／集中学習）の選択に従った表示動作を示す図である。
【００６５】
図１２は、前記電子単語帳３０の通常学習処理／集中学習処理に伴うユーザ操作に応じた表示動作を示す図である。
【００６６】
前記電子単語帳３０が起動されると、図１１（Ａ）に示すように、前記表示部３２に対して、通常学習モードと集中学習モードの何れかの選択をユーザに促す項目［通常学習］ＫＡ，［集中学習］ＫＢが表示される。
【００６７】
前記［送り］キー３１ａの操作により前記［通常学習］ＫＡを反転表示させて選択すると、図６における通常学習処理が起動され、図１１（Ａ１）に示すように、前記単語帳データ４２ｂ（図４参照）から読み出された単語word1が表示される。
一方、前記図１１（Ａ）で示したように、前記［送り］キー３１ａの操作により前記［集中学習］ＫＢを選択した場合には、後述するように、図１１（Ｂ１）に示すような学習対象の選択を促す画面が表示され、どちらかが選択されると、図１１（Ｂ２）のように学習する単語数をユーザが指定して、集中学習の単語の表示が開始されことになる。
【００６８】
ここでは、前記表示部３２に表示された選択メニュー（図示せず）において、「英和モード」が選択された場合の具体例について説明する。なお、「和英モード」が選択された場合でも、以下の動作説明と同様に動作する。
【００６９】
前記通常学習モードが選択されると、図６で示す通常学習処理が起動される。すると、まず、前記単語帳データ４２ｂのリストからランダムに英単語が選択され、図１２（Ａ）に示すように、当該選択された英単語“wine”が表示部３２に表示される（ステップＡ１）。
【００７０】
すると、この表示された前記単語帳データ４２ｂの英単語word N“wine”に対応付けられた学習（表示）回数が＋１加算される（ステップＡ２）。
【００７１】
この英単語“wine”の表示状態で、例えばユーザがその日本語の意味を分かった場合には、［送り］キー３１ａが操作される。［送り］キー３１ａが操作されたと判断されると（ステップＡ３（→））、図１２（Ｂ１）に示すように、当該英単語“wine”の説明情報（意味）「ワイン…」が読み出され前記表示部３２に表示される（ステップＡ５）。
【００７２】
一方、前記図１２（Ａ）で示した英単語“wine”の表示状態で、例えばユーザがその日本語の意味を分からなかった場合には、［チェック］キー３１ｃが操作される。そこで、［チェック］キー３１ｃが操作されたと判断されると（ステップＡ３（Ｖ））、図１２（Ｂ２）に示すように、チェックボックスｂｃにチェックマークが書き込まれ、前記単語帳データ４２ｂの該当する英単語word N“wine”に対応付けられたチェック回数が＋１加算される（ステップＡ４）。
【００７３】
そして、図１２（Ｃ）に示すように、前記英単語“wine”の説明情報（意味）「ワイン…」が読み出され前記表示部３２に表示される（ステップＡ５）。
【００７４】
一方、前記図１２（Ｂ１）で示したように、［送り］キー３１ａの操作に応じて表示部３２に英単語“wine”の説明情報（意味）「ワイン…」が表示され（ステップＡ３（→），Ａ５）、例えばユーザの思っていた意味と異なっていた場合に、ユーザは［チェック］キー３１ｃを操作する。［チェック］キー３１ｃが操作されたと判断されると（ステップＡ６（Ｖ））、図１２（Ｃ）に示すように、チェックボックスｂｃにチェックマークが書き込まれ、前記単語帳データ４２ｂの該当する英単語word N“wine”に対応付けられたチェック回数が＋１加算される（ステップＡ７）。
【００７５】
前記ステップＡ５により、英単語“wine”の説明情報（意味）「ワイン…」が読み出されて表示された状態で、［送り］キー３１ａが操作されたと判断されるか（ステップＡ６（→））、または前記［チェック］キー３１ｃが操作されたと判断されるとことで（ステップＡ６（Ｖ））、該当する英単語word N“wine”に対応付けられたチェック回数が＋１加算されると（ステップＡ７）、前記単語帳データ４２ｂからランダムに読み出された次の英単語word Nが前記表示部３２に表示され（ステップＡ８（Ｎｏ）→Ａ１）、前記同様の処理が繰り返される（ステップＡ１〜Ａ８）。
【００７６】
このように、前記単語帳データ４２ｂに記憶された各英単語とその説明情報（意味）を順次表示させて確認しながらその英単語が分からなかった場合に［チェック］キー３１ｃを操作し、当該単語帳データ４２ｂの該当単語に対応付けられたチェック回数を加算することで、前記学習（表示）回数とそのチェック回数に基づきユーザに覚えられたか否かの指標となる正解率を算出できる。
【００７７】
一方、前記図１１（Ａ）で示したように、前記表示部３２に対して、学習モードの選択を促す項目［通常学習］ＫＡ，［集中学習］ＫＢが表示された状態で、前記［送り］キー３１ａの操作により前記［集中学習］ＫＢを反転表示させて選択すると、図７における集中学習処理が起動される
すると先ず、図１１（Ｂ１）に示すように、前記表示部３２に［微妙な単語］ＫＸ，［覚えられない単語］ＫＹが表示され、ユーザにとって覚えられたのか否か分からない微妙な単語を集中学習の対象とするのか、または、覚えられない単語を集中学習の対象とするのかの学習対象の選択をユーザに行わせる。
【００７８】
ここで、前記［送り］キー３１ａの操作により前記［微妙な単語］ＫＸまたは［覚えられない単語］ＫＹのどちらかをユーザが選択すると、図８における対象単語抽出処理が起動される（ステップＳ１）。
【００７９】
この対象単語抽出処理では、前記単語帳データ４２ｂに記憶された各単語のリストから当該各単語それぞれの学習（表示）回数とチェック回数に基づき算出される正解率が取得される（ステップＳ１１）。
【００８０】
そして、前記正解率が例えば７割〜４割の単語が前記［微妙な単語］として設定され、また４割未満の単語が前記［覚えられない単語］として設定される（ステップＳ１２）。
【００８１】
すると、前記表示部３２に対して、図１１（Ｂ２）に示すように、当該集中学習の対象単語数を設定するための単語数設定画面Ｎ（デフォルト［１０］）が表示され、前記［送り］キー３１ａおよび［戻り］キー３１ｂの繰り返し操作に応じた加減算処理により当該対象単語数が任意に設定される（ステップＳ１３）。
【００８２】
そして、前記［微妙な単語］ＫＸが選択された場合は、前記ステップＳ１２において［微妙な単語］として設定された前記単語帳データ４２ｂの中の各単語のデータうち、前記ステップＳ１３にて設定された対象単語数［１０］のデータが読み出され、前記集中学習対象単語データ４２ｃとして記憶される（ステップＳ１４）。
【００８３】
また、前記［覚えられない単語］ＫＹが選択された場合は、前記ステップＳ１２において［覚えられない単語］として設定された前記単語帳データ４２ｂの中の各単語のデータうち、前記ステップＳ１３にて設定された対象単語数［１０］のデータが読み出され、前記集中学習対象単語データ４２ｃ（図５参照）として記憶される（ステップＳ１４）。
【００８４】
この際、前記集中学習対象単語データ４２ｃの各単語WORD1,WORD2,…に対応付けられた学習（表示）回数とチェック回数は“０”に初期化される。
【００８５】
こうして、前記集中学習対象単語データ４２ｃが抽出されて記憶されると、前記計時部４５における第１タイマー４５ａと第２タイマー４５ｂの計時が開始される（ステップＳ２）。
【００８６】
すると、前記第１タイマー４５ａにより計時される第１の所定時間が経過したか否か、または前記第２タイマー４５ｂにより計時される第２の所定時間が経過したか否かの判断の待機状態となる（ステップＳ３，Ｓ４）。
【００８７】
先ず前記第１の所定時間（ここでは［１時間］）が経過したと判断されると（ステップＳ４（Ｙｅｓ））、前記報知部４６の報知動作により集中学習の時間になったことがユーザに報知され（ステップＳ５）、図９における第１の集中学習処理に移行される（ステップＳＰ）。
【００８８】
この第１の集中学習処理では、前記集中学習対象単語データ４２ｃに記憶された各単語WORD1,WORD2,…のうち確認フラグ“１”が立っていない単語からランダムに英単語WORD nが選択され、図１１（Ｂ３）に示すように、当該選択された英単語WORD3が表示部３２に表示される（ステップＰ１）。
【００８９】
すると、この表示された前記集中学習対象単語データ４２ｃの英単語WORD3に対応付けられた学習（表示）回数が＋１加算される（ステップＰ２）。
【００９０】
この後、前記図６で示したステップＡ２〜Ａ８での処理と同様に、前記集中学習対象単語データ４２ｃの前記確認フラグ“１”が立っていない単語から順次ランダムに選択された英単語のデータについて（ステップＰ１）、前記［送り］キー３１ａまたは［チャック］キー３１ｃの操作に応じて、当該英単語WORD nとその意味（説明情報）とが交互に表示され、その都度、該当単語WORD nに対応付けられた学習（表示）回数が＋１加算される（ステップＰ２〜Ｐ７，Ｐ１２）。この際、前記［チャック］キー３１ｃが操作された場合には、該当単語WORD nに対応付けられたチェック回数が＋１加算される（ステップＰ４／Ｐ７）。
【００９１】
そして、前記英単語WORD nとその意味（説明情報）が表示された集中学習対象単語のデータについて、その学習（表示）回数に基づき１０回以上表示されたと判断されると（ステップＰ８（Ｙｅｓ））、当該学習（表示）回数と前記チェック回数とに基づき算出される正解率が８割以上か否か判断される（ステップＰ９）。
【００９２】
ここで、当該集中学習対象単語のデータについて、その正解率が８割以上となりユーザにより略覚えられたと判断された場合は（ステップＰ９（Ｙｅｓ））、該当対象単語WORD nに対応付けて確認フラグ“１”がセットされ（ステップＰ１０）、その学習回数とチェック回数がリセットされる（ステップＰ１１）。
【００９３】
そして、前記第１の集中学習処理を終了させると（ステップＰ１２（Ｙｅｓ））、前記第１タイマー４５ａがリセットされ（ステップＳ６（Ｙｅｓ），Ｓ７）、再び、前記第１または第２の所定時間が経過したか否かの判断の待機状態となる（ステップＳ３，Ｓ４）。
【００９４】
この後、前記第２の所定時間（ここでは［２４時間］）が経過したと判断されると（ステップＳ３（Ｙｅｓ））、前記報知部４６の報知動作により集中学習の時間になったことがユーザに報知され（ステップＳ８）、図１０における第２の集中学習処理に移行される（ステップＳＴ）。
【００９５】
この第２の集中学習処理では、前記集中学習対象単語データ４２ｃに記憶された各単語WORD1,WORD2,…のうち確認フラグ“１”が立っている（ユーザにより略覚えられたと判断された）単語からランダムに英単語WORD nが選択され、前記図１１（Ｂ３）で示したように、当該選択された英単語WORD3が表示部３２に表示される（ステップＴ１）。
【００９６】
すると、この表示された前記集中学習対象単語データ４２ｃの英単語WORD3に対応付けられた学習（表示）回数が＋１加算される（ステップＴ２）。
【００９７】
この後、前記図９で示したステップＰ２〜Ｐ７，Ｐ１２での処理と同様に、前記集中学習対象単語データ４２ｃの前記確認フラグ“１”が立っている（ユーザにより略覚えられたと判断された）単語から順次ランダムに選択された英単語のデータについて（ステップＴ１）、前記［送り］キー３１ａまたは［チャック］キー３１ｃの操作に応じて、当該英単語WORD nとその意味（説明情報）とが交互に表示され、その都度、該当単語WORD nに対応付けられた学習（表示）回数が＋１加算される（ステップＴ２〜Ｔ７，Ｔ１３）。この際、前記［チャック］キー３１ｃが操作された場合には、該当単語WORD nに対応付けられたチェック回数が＋１加算される（ステップＴ４／Ｔ７）。
【００９８】
そして、前記英単語WORD nとその意味（説明情報）が表示された集中学習対象単語（ユーザにより略覚えられたと判断された単語）のデータについて、その学習（表示）回数に基づき３回以上表示されたと判断されると（ステップＴ８（Ｙｅｓ））、当該学習（表示）回数と前記チェック回数とに基づき算出される正解率が当該第２の集中学習処理においても８割以上あるか否か判断される（ステップＴ９）。
【００９９】
ここで、当該集中学習対象単語（ユーザにより略覚えられたと判断された単語）のデータについて、その正解率が８割以上ありユーザにより覚えられたと判断された場合は（ステップＴ９（Ｙｅｓ））、前記集中学習対象単語データ４２ｃから削除される（ステップＴ１０）。
【０１００】
一方、前記集中学習対象単語（ユーザにより略覚えられたと判断された単語）のデータについて、その正解率が４割以下となりユーザにより覚えられていないと判断された場合は（ステップＴ１１（Ｙｅｓ））、該当対象単語WORD nに対応付けられた確認フラグ“１”は消去されて外される（ステップＴ１２）。
【０１０１】
そして、前記第２の集中学習処理を終了させると（ステップＴ１３（Ｙｅｓ））、前記第２タイマー４５ｂがリセットされ（ステップＳ９（Ｙｅｓ），Ｓ１０）、再び、前記第１または第２の所定時間が経過したか否かの判断の待機状態となる（ステップＳ３，Ｓ４）。
【０１０２】
したがって、前記構成の電子単語帳３０による集中学習機能によれば、前記単語帳データ４２ｂからユーザに覚えられていない単語のデータを抽出して集中学習対象単語データ４２ｃとして記憶させ、第１の所定時間間隔で当該集中学習対象単語データ４２ｃの各単語とその意味（説明情報）を表示させて学習させる。この際、分からない単語に対して操作される［チェック］キー３１ｃによりチェック回数が加算され、各単語の学習（表示）回数とそのチェック回数に基づき正解率が算出される。前記正解率が８割以上になった単語のデータにはユーザに略覚えられたとする確認フラグ“１”がセットされる。そして、この確認フラグ“１”のセットされた各単語のデータは、前記第１の所定時間間隔よりも長い第２の所定時間間隔で当該各単語とその意味（説明情報）を前記同様に表示させて学習させ、その正解率が８割以上になった単語のデータはユーザに覚えられたとして前記集中学習対象単語データ４２ｃから削除される。
【０１０３】
また、前記第２の所定時間間隔での集中学習において、その正解率が４割以下になった単語データの確認フラグ“１”は消去され、前記第１の所定時間間隔での集中学習対象単語に戻される。
【０１０４】
このため、前記単語帳データ４２ｂの中の覚えられない単語だけを抽出して覚えられるまで集中的に繰り返し学習できるだけでなく、一旦略覚えられたもののまた忘れてしまった単語をひろって再び集中的に繰り返し学習できる。よって、単語の学習をこれまでよりもっと迅速に且つ効果的に行うことが可能になる。
【０１０５】
なお、前記実施形態の通常学習処理や集中学習処理では、前記単語帳データ４２ｂや集中学習対象単語データ４２ｃに記憶された各英単語をランダムに読み出して表示させる構成としたが、所定の順番で読み出して表示させる構成としてもよい。
【０１０６】
なお、前記各実施形態において記載した電子単語帳３０による各処理の手法、すなわち、図６のフローチャートに示す通常学習処理、図７〜図１０のフローチャートに示す集中学習処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、表示部を備えた電子機器のコンピュータ（制御装置）は、この外部記録装置の媒体に記憶されたプログラムを記憶装置に読み込み、この読み込んだプログラムによって動作が制御されることにより、前記各実施形態において説明した通常学習機能、集中学習機能を実現し、前述した手法による同様の処理を実行することができる。
【０１０７】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを表示部を備えた電子機器に取り込んで記憶装置に記憶させ、前述した通常学習機能、集中学習機能を実現することもできる。
【０１０８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０９】
以下に、本願出願の当初の特許請求の範囲に記載された発明を付記する。
【０１１０】
［１］
単語とその意味を対応付けて記憶する単語記憶手段と、
第１の所定時間が経過する毎に前記単語記憶手段により記憶された単語とその意味を表示部に表示させる第１表示制御手段と、
前記表示部に表示された単語をユーザが覚えたか否か判断する判断手段と、
前記第１の所定時間より長い第２の所定時間が経過する毎に前記判断手段によりユーザが覚えたと判断された単語とその意味を前記表示部に表示させる第２表示制御手段と、
を備えたことを特徴とする単語学習装置。
【０１１１】
［２］
前記単語記憶手段により記憶された単語に対応付けて当該単語の前記表示部に対する表示回数を記憶する表示回数記憶手段と、
前記単語とその意味が前記表示部に表示されたときにユーザにより操作されるチェックキーの操作回数を記憶するチェック回数記憶手段を備え、
前記判断手段は、前記表示回数記憶手段により記憶された表示回数と前記チェック回数記憶手段により記憶されたチェックキーの操作回数とに基づき、前記表示部に表示された単語をユーザが覚えたか否か判断する、
ことを特徴とする［１］に記載の単語学習装置。
【０１１２】
［３］
前記第２の表示制御手段により表示された単語について前記判断手段によりユーザが覚えたと判断された場合に、前記単語記憶手段により記憶された当該単語とその意味を削除する単語削除手段を備えたことを特徴とする［２］に記載の単語学習装置。
【０１１３】
［４］
前記単語記憶手段により記憶された単語のうち前記判断手段によりユーザが覚えたと判断された単語に対応付けてフラグをセットするフラグセット手段を備え、
前記第１表示制御手段は、前記第１の所定時間が経過する毎に前記単語記憶手段により記憶された単語のうち前記フラグセット手段によりフラグがセットされていない単語とその意味を表示部に表示させ、
前記第２表示制御手段は、前記第１の所定時間より長い第２の所定時間が経過する毎に前記単語記憶手段により記憶された単語のうち前記フラグセット手段によりフラグがセットされている単語とその意味を前記表示部に表示させる、
ことを特徴とする［２］または［３］に記載の単語学習装置。
【０１１４】
［５］
前記第１表示制御手段により表示された単語に対応付けて前記フラグセット手段によりフラグがセットされた際に、前記表示回数記憶手段により当該単語に対応付けられて記憶された表示回数と前記チェック回数記憶手段により当該単語に対応付けられて記憶されたチェックキーの操作回数をリセットする回数リセット手段と、
前記第２の表示制御手段により表示された単語について前記判断手段によりユーザに覚えられていないと判断された場合に、前記フラグセット手段により当該単語に対応付けられてセットされたフラグを消去するフラグ消去手段と、
を備えたことを特徴とする［４］に記載の単語学習装置。
【０１１５】
［６］
表示部と記憶部を備えた電子機器のコンピュータを制御するためのプログラムであって、
前記コンピュータを、
単語とその意味を対応付けて前記記憶部に記憶させる単語記憶手段と、
第１の所定時間が経過する毎に前記記憶部に記憶された単語とその意味を前記表示部に表示させる第１表示制御手段と、
前記表示部に表示された単語をユーザが覚えたか否か判断する判断手段と、
前記第１の所定時間より長い第２の所定時間が経過する毎に前記判断手段によりユーザが覚えたと判断された単語とその意味を前記表示部に表示させる第２表示制御手段、
として機能させるためのコンピュータ読み込み可能なプログラム。
【符号の説明】
【０１１６】
１０  …電子辞書
１４  …キー入力部（辞書）
１４ａ…［単語帳登録］キー
１５  …タッチパネル式表示部
３０  …電子単語帳
３１  …キー入力部（単語帳）
３１ａ…［送り］キー
３１ｂ…［戻り］キー
３１ｃ…［チェック］キー
２１，４１…ＣＰＵ
２２，４２…記憶装置
２２ａ…辞書制御プログラム
４２ａ…単語帳制御プログラム
２２ｂ…辞書データベース
２２ｃ…単語帳データ（辞書）
４２ｂ…単語帳データ（単語帳）
４２ｃ…集中学習対象単語データ
２３  …外部記録媒体
２４  …記録媒体読み取り部
２５，４３…通信部
２６，４４  …ＲＡＭ
４５  …計時部
４５ａ…第１タイマー
４５ｂ…第２タイマー
４６  …報知部
５０  …Ｗｅｂサーバ
Ｎ    …通信ネットワーク
【図２】
2015179214.tif 000003
【図３】
2015179214.tif 000004
【図４】
2015179214.tif 000005
【図５】
2015179214.tif 000006
【図６】
2015179214.tif 000007
【図７】
2015179214.tif 000008
【図８】
2015179214.tif 000009
【図９】
2015179214.tif 000010
【図１０】
2015179214.tif 000011
【図１１】
2015179214.tif 000012
【図１２】
2015179214.tif 000013
【図１】
2015179214.tif 000014